(57)【特許請求の範囲】
【請求項１】
複数の電池モジュールを収容するための、複数の電池パックからなる電池パック複合構造体であって、
内部に第１の電池モジュールを収容したケース体からなる第１電池パックは当該ケース体の外周面に左右一対のスライドレール部を有し、
他の第２の電池モジュールを収容した第２電池パックは、当該第２電池パックの両側に設けたスライド部を有し、
前記第２電池パックは前記スライド部を前記第１電池パックのケース体の左右一対のスライドレール部に嵌装してあり、
前記第１電池パックのケース体の左右一対のスライドレール部の間であって、前記ケース体の外周面と前記第２電池パックの底部の間にクッション性のスペーサーを挟み込んであることを特徴とする電池パック複合構造体。
【請求項２】
前記第２電池パックはさらに他の第３の電池モジュールを収容した第３電池パックの両側に設けたスライド部を嵌装できるスライドレール部を有することを特徴とする請求項１記載の電池パック複合構造体。
【発明の詳細な説明】
【技術分野】
【０００１】
本発明は、電池モジュール等を車両に搭載するのに用いる電池パック構造体に関する。
【背景技術】
【０００２】
近年、電池を走行用の動力源に用いる電気自動車，ハイブリッド車，プラグインハイブリッド車等においては、搭載電池の大型化が進んでいる。
例えば、特許文献１にはバッテリ（電池モジュール）の占有スペースを小さくする目的で、格子状に配置された仕切りフレームにベースフレームでバッテリを固定する構造を開示する。
しかし、これでは電池モジュールの積載量が一定であり、車両グレードに合せてそれぞれ専用の仕切りフレームを設計しなければならず、汎用性に劣るものである。
特許文献２には、バッテリモジュール（電池モジュール）のエンドプレートに縦方向の固定部と横方向の固定部を交差する方向に設けることにより車体への固定方向に汎用性をもたせた発明を開示する。
しかし、これでは固定方向が変えられても電池モジュールの積載量には汎用性が無い。
【先行技術文献】
【特許文献】
【０００３】
【特許文献１】特開平７−６９０７８号公報
【特許文献２】特開２０１２−２５６４６６号公報
【発明の概要】
【発明が解決しようとする課題】
【０００４】
本発明は、車両の仕様に合せて電池の積載量を調整するのが容易な電池パック複合構造体の提供を目的とする。
【課題を解決するための手段】
【０００５】
本発明に係る電池パック構造体は、複数の電池モジュールを収容するための、複数の電池パックからなる電池パック複合構造体であって、内部に第１の電池モジュールを収容したケース体からなる第１電池パックは当該ケース体の外周面に左右一対のスライドレール部を有し、他の第２の電池モジュールを収容した第２電池パックは、当該第２電池パックの両側に設けたスライド部を有し、前記第２電池パックは前記スライド部を前記第１電池パックのケース体の左右一対のスライドレール部に嵌装してあり、前記第１電池パックのケース体の左右一対のスライドレール部の間であって、前記ケース体の外周面と前記第２電池パックの底部の間にクッション性のスペーサーを挟み込んであることを特徴とする。
ここで、電池モジュールとは車両の走行駆動源に使用される電池一般を意味し、複数の電池セルを積層したタイプに限らず、筒状体に形成した電池等も含まれる。
電池パックとは、上記電池モジュールを車両に搭載できるように電池モジュールを収容したケース体や、この電池モジュールをプレート体やフレーム体等に取り付けた状態のものをいう。
また、本発明でスライドレール部とは、相互にスライド嵌合できるように一方に凸状のレール部を形成し、他方に凹状のレール部を形成することを意味する。
従って、上記プレート体，フレーム体にはケース体のスライドレール部に嵌合するスライド部を有する。
本発明でケース体の外周面とは、上面部，下面部及び側面部等、外面部全体のいずれか１ヶ所以上をいう。
【０００６】
本発明は、所定の電気的出力，容量の電池モジュールを内部に収容したケース体の外周部に必要に応じて他の電池パックを嵌装可能にすることで、電池モジュールの積載量を増大することができる点に特徴があり、電池パックはさらに他の電池パックを嵌装可能なスライドレール部を有するようにしてもよい。
また、スライドレール部は嵌装された電池パックのロック保持手段を有するようにすることもできる。
ここで、ロック保持手段とは、スライドレール部に嵌装された電池パックが動かないように固定できる手段をいう。
【０００７】
本発明において、ケース体は内部にも当該内部の電池モジュールを嵌装するスライドレール部を有するようになっていてもよい。
電池モジュールを車両に搭載するためのベースとなるケース体に収容する手段としては、ケース体に電池モジュールをボルト，ナット等で固定してもよいが、ケース体の内部にもスライドレール部を設けると、ケース体への電池モジュールの取り付け，取り外しもこの電池モジュールをスライドレール部に嵌装又は引き出すことで行うことができる。
【発明の効果】
【０００８】
本発明は、ケース体の外周部に別に設けた電池パックをスライドレール部に沿って嵌装するだけで追加でき、取り外しも容易である。
これにより電池による走行距離を長く設定したいときには、ケース体の外周部（外面部）に電池パックを追加できるので、車両の仕様に応じて電池モジュールの積載量の調整が可能となる。
また、電池パックをスライド嵌装できるので従来のブラケット等にて電池パックを固定するのと比較し、部品点数が少なく電池パックの交換や補修作業が容易になる。
【図面の簡単な説明】
【０００９】
【図１】ケース体に電池パックを嵌装する例を示す。（ａ）は嵌装前、（ｂ）は嵌装後を示す。
【図２】ケース体への電池パックを嵌装する各種態様例を示す。（ａ）はケース体の上面に設定、（ｂ）はケース体の上面に複数段に設定、（ｃ）はケース体の下面に吊り下げ設定、（ｄ）はケース体の側部にも設定した例を示す。
【図３】スライドレール部にロック保持手段を設けた例を示し、（ａ）は電池パックの嵌装前、（ｂ）は嵌装しロックした状態を示す。
【図４】電池パックをスライドレール部に嵌装し、後方側をブラケットで固定する例を示す。
【図５】電池モジュールを弾性部材で保持する例を示す。
【図６】スライドレール部の断面図を示し、（ａ）はスペーサーの無い場合、（ｂ）はスペーサーを有する場合を示す。
【発明を実施するための形態】
【００１０】
本発明に係る電池パック複合構造体の構造例を以下図面に基づいて説明するが、本発明はこれに限定されない。
【００１１】
図１は、電池パック複合構造体１０を示す。
電池モジュールを内部に収容した第１電池パックとしてのケース体１１の上部（上面）にスライドレール部１２ａ，１２ｂを設け、外側に他の第２電池パック２０を嵌装した例を示す。
図１に示したケース体１１は、模式的に表現したものであって略長方形状に外面全体を箱状に覆った例を示すが、内部に電池モジュールを収容したものであればフレーム枠状等、構造に制限はない。
第２電池パック２０は、内部に電池モジュール１を固定してあり、底部がプレート状に形成してあり、嵌装方向両側に凸状である突片状のスライド部２１ａ，２１ｂを有する。
一方、ケース体１１側には凹状である断面Ｌ字状のスライドレール部１２ａ，１２ｂを有する。
これにより、第２電池パック２０底部両側のスライド部２１ａ，２１ｂをケース体１１のスライドレール部１２ａ，１２ｂにスライド挿入させ、嵌装することで図１（ｂ）に示すように第２電池パック２０をケース体１１に追加できる。
この場合に必要に応じてビス，ボルト等の固定部材２２にてスライドレール部とスライド部等を固定する。
本実施例では、ケース体側に凹状のスライドレール部を形成したが、逆にケース体側に凸状のスライド部を形成してもよい。
上記固定方法としては、図３に示すように平面視でベース面１３に略コ字形状の枠状にスライドレール部１４ａ，１４ｂ，１４ｃを形成し、電池モジュール１の底部に設けた突片状のスライド部１ａ，１ｂをこのスライドレール部に嵌装し、電池モジュール１の嵌装方向先端側の突片１ｃをスライドレール部の奥側の凹部１４ｃに挿入、突当てた状態で電池モジュールの後方端をブラケット１５及びビス１５ａで固定するロック保持手段を設けてもよい。
この場合に図４，５に示すように突片１ｃの上面にロック保持手段の１つとして、弾性部材１ｄを取り付け、押圧固定してもよい。
このようにすると、電池モジュール１に伝わる振動を吸収できる。
また、図６（ａ）に示すように電池モジュールの底部突片１ａ，１ｂと第２電池パック２０のカバー部両端を折り曲げ形成した突片２０ａ，２０ｂをそれぞれ重ね合せてスライド部２１ａ，２１ｂを形成してもよい。
また、図６（ｂ）に示すように電池モジュールの底部プレートの下にクッション性のスペーサー１６を挟み、ロック保持手段としてもよい。
このような電池モジュールの固定方法は、ケース体の外部又は内部の両方に適用できる。
【００１２】
図２にケース体１１の外周部（外面部）に第２電池パック２０を嵌装する変形例を示す。
（ａ）は上面部に１つの電池パック２０を取り付けた例を示し、（ｂ）は２段重ねに電池パック２０Ａ，２０Ｂを取り付け、さらに３つ目の電池パック２０Ｃを取り付けた例、（ｃ）は底部を吊り下げ状に第２電池パック２０を取り付ける例を示す。
（ｄ）は側部にも第２電池パック２０を取り付けた例を示す。
これらの電池パックには、それぞれ電池モジュール１〜３が収容されている。
【符号の説明】
【００１３】
１        電池モジュール
１０      電池パック複合構造体
１１      ケース体
１２ａ    スライドレール部
２０      第２電池パック
２１ａ    スライド部
【図１】
0006055748.tif 000002
【図２】
0006055748.tif 000003
【図３】
0006055748.tif 000004
【図４】
0006055748.tif 000005
【図５】
0006055748.tif 000006
【図６】
0006055748.tif 000007